(57)【要約】【課題】  遠近感を強調するために物理的に画像表示面を車両前方側に傾けているため、画像表示面まわりの構造物がレイアウト上の規制を受けてしまうものであった。【解決手段】  本発明の車両用表示装置は、メータ部120に設けた方形の開口部107の車両前方にディスプレイ表示面111を設けて開口部107からディスプレイ表示面111に向けてこのディスプレイ表示面111を囲うように形成するディスプレイ外縁部115を設けたものである。そのディスプレイ外縁部115には、ディスプレイ表示面111を上辺が短辺で下辺が長辺の略台形で視認可能に形成するディスプレイ外縁内枠部106と、開口部107に対応した方形で形成するディスプレイ外縁外枠部105とを有している。そして、ディスプレイ外縁内枠部106の上辺とディスプレイ外縁外枠部105の上辺との車幅方向の長さの差を、ディスプレイ外縁内枠部106の下辺とディスプレイ外縁外枠部105の下辺との車幅方向の長さの差よりも大きくしたものである。【選択図】図２
2010253966.tif 000002
【特許請求の範囲】
【請求項１】
インストルメントパネルのメータ表示面に方形の窓部を設け、該窓部に対応した位置に画像を表示する画像表示面を車室内側より視認可能に備えた車両用表示装置において、
前記窓部の車両前方に前記画像表示面を設けて前記画像表示面から前記窓部に向けて前記画像表示面を囲うように形成するフレームを設け、
前記フレームは、前記画像表示面を上辺が短辺で下辺が長辺の略台形で視認可能に形成する内枠と、前記窓部に対応した方形で形成する外枠とを有して、
前記内枠の短辺と前記外枠の上辺との車幅方向の長さの差を、前記内枠の長辺と前記外枠の下辺との車幅方向の長さの差よりも大きくすることを特徴とする車両用表示装置。
【請求項２】
前記外枠は、上辺を下辺より長く形成した略台形となることを特徴とする請求項1に記載の車両用表示装置。
【請求項３】
前記フレームは、前記メータ表示面に設けられた略円形のメータの間に配されることを特徴とする請求項1または２に記載の車両用表示装置。
【請求項４】
前記画像表示面を前記メータ表示面に対して車両前方に傾斜させることを特徴とする請求項1〜3のいずれか一項に記載の車両用表示装置。
【請求項５】
前記画像は車両後方斜視表示とすることを特徴とする請求項1〜4のいずれか一項に記載の車両用表示装置。
【発明の詳細な説明】
【技術分野】
【０００１】
本発明は、インストルメントパネルのメータ表示面に画像を表示する画像表示面を設けた車両用表示装置に関するものである。
【背景技術】
【０００２】
車両用表示装置としては、特許文献1に記載の通り、画像表示面をメータ表示面に対して車両前方に傾斜させる角度を大きくして、遠近感を出させたものが開示されている。
【先行技術文献】
【特許文献】
【０００３】
【特許文献１】特開2008−30638
【発明の概要】
【発明が解決しようとする課題】
【０００４】
しかし、従来の車両用表示装置においては、遠近感を強調するために物理的に画像表示面を車両前方側に大きく傾けているため、画像表示面まわりの構造物がレイアウト上の規制を受けてしまうものであった。
【課題を解決するための手段】
【０００５】
上記問題を解決するために、本発明の車両用表示装置は、メータ表示面に設けられた方形の窓部の車両前方に画像表示面を設けて、窓部から前記画像表示面に向けて前記画像表示面を囲うように形成するフレームを設けたものである。そのフレームは、画像表示面を上辺が短辺で下辺が長辺の略台形に見えるように形成する内枠と、メータ表示面の窓部に対応した方形で形成する外枠とを有している。そして、内枠の短辺と外枠の上辺との車幅方向の長さの差を、内枠の長辺と外枠の下辺との車幅方向の長さの差よりも大きくしたものである。
【発明の効果】
【０００６】
本発明の車両用表示装置によれば、上記構成となっているため、画像表示面まわりの構造物に対するレイアウトの規制を小さくしつつ、画像表示面の遠近感を強調することができる。
【図面の簡単な説明】
【０００７】
【図１】車両用表示装置を示す車両後面図。
【図２】車両用表示装置を示すメータ表示面拡大図。
【図３】車両用表示装置を示す形状詳細図。
【図４】車両用表示装置を示すフレームと画像表示面の詳細図。
【図５】図4のI-I断面を示す車両用表示装置の断面図。
【図６】ディスプレイ表示面の画像を示すイメージ図。
【発明を実施するための形態】
【０００８】
（実施例）
以下、本発明の実施例における車両用表示装置100の構成を図面と共に説明する。
車両用表示装置100は、図1〜6に示す通り、車体前方に組みつけられたインストルメントパネル130のメータ表示面としてのメータパネル120に設けられた窓部としての開口部107に対応した位置に設けられた画像表示面としてのディスプレイ表示面111と、そのディスプレイ表示面111の外縁を囲うフレームとしてのディスプレイ外縁部115とを備えている。
【０００９】
メータパネル120は、メータフード部131によって覆われ、メータパネル120のメータ一般面121に速度計やタコメータなどの略円形のメータとしての計器部125が複数設けられている。
【００１０】
ディスプレイ110は、メータパネル120のメータ一般面121に対して車両前方に配置している。また、ディスプレイ110のディスプレイ表示面111は、上辺が短辺となり下辺が長辺となる略台形の形状内に画像を映すことができる液晶パネルまたは有機ELパネルでできている。また、ディスプレイ表示面111は、上辺が下辺に対して車両前方に位置するようにメータ一般面121に対して車両前方に傾斜させて配置し、ステアリングハンドル135のステアリング開口部136を通して車室内側より視認することができる。また、その画像は、例えば、図6に示す通り、走行している車両を後方かつ上方から見たような後方斜視表示で表示されている。ここでは、自車両150と前方を走行する他車両151との車間距離を表示している。
【００１１】
ディスプレイ外縁部115は、面AadD115aと面ABba115bと面bBCc115cと面dcCD115dとの4面で構成され、それぞれの面がメータパネル120のメータ一般面121から車両前方に向けてディスプレイ表示面111を囲うように傾斜して形成されている。ディスプレイ外縁部115の外縁は、メータ一般面121にある開口部107の形状に対応した方形の外枠としてのディスプレイ外縁外枠部105とし、ディスプレイ外縁部115の内縁は、ディスプレイ表示面111の端を囲う略台形の内枠としてのディスプレイ外延内枠部106としている。また、ディスプレイ外縁部115は、略円形の計器部125の外縁に沿うように、計器部125の上部間に配されている。
【００１２】
さらに、ディスプレイ外縁部115の面AadD115aおよび面bBCc115cは、グラデーションを付加している。つまり、ディスプレイ外縁部115の面AadD115aは、ディスプレイ外縁外枠部105側からディスプレイ外縁内枠部106側に向けて、シボの凹凸密度を濃くしている。具体的には、図4に示す通り、面AadD115aは、ディスプレイ外縁外枠部105側より0〜10％のエリア、10％〜50％のエリア、50％〜80％のエリア、80％以上のエリアに分けて、ディスプレイ外縁内枠部106側に近づくにつれてシボの凹凸密度を濃くしている。また、0〜10％の奥行き寸法を最も小さくし、10％〜50％の奥行き寸法を0〜10％の奥行き寸法より大きくし、次に50％〜80％の奥行き寸法を10％〜50％の奥行き寸法より大きくし、80％以上の奥行き寸法を50％〜80％の奥行き寸法より大きくしている。これにより、面AadD115aのディスプレイ外縁内枠部106側は光の反射が抑制され、ディスプレイ外縁外枠部105側は光を反射しやすくしてメータ一般面121に近いほど、光が反射されて明るく見える。
【００１３】
面bBCc115cも面AadD115aと同様に、ディスプレイ外縁外枠部105側からディスプレイ外縁内枠部106側に向けて、シボの凹凸密度を濃くしている。但し、面bBCc115cのシボ濃度のエリアは、面AadD115aとは逆に、0〜10％の奥行き寸法を最も大きくし、10％〜50％の奥行き寸法を0〜10％の奥行き寸法より小さくし、次に50％〜80％の奥行き寸法を10％〜50％の奥行き寸法より小さくし、80％以上の奥行き寸法を50％〜80％の奥行き寸法より小さくしている。これにより、面bBCc115cのディスプレイ外縁内枠部106側は光の反射が抑制され、ディスプレイ外縁外枠部105側は光を反射しやすくしてメータ一般面121に近いほど、光が反射されて明るく見える。このシボによる光の明暗の差により、ディスプレイ表示面111により遠近感を強調できる。そして、面AadD115aと面bBCc115cとを比較すると、面AadD115aの方がシボの凹凸濃度の濃い奥行き寸法が大きくなっているため、面AadD115aの方が面bBCc115cより暗く見え、面AadD115aの方がメータ一般面121から遠くにあるように錯覚を起こさせ、更に遠近感を強調することができる。
【００１４】
ディスプレイ外縁内枠部106は、短辺としての内枠上辺ad106aと内枠左辺ab106bと長辺としての内枠下辺bc106cと内枠右辺cd106dで構成され、内枠上辺ad106aを内枠下辺bc106cに対して短く形成した略台形abcdをなしている。このディスプレイ外縁端内枠部106がディスプレイ110のディスプレイ表示面111を覆うことによって、車室内側より見ることができるディスプレイ表示面111の形状を決定することができる。つまり、ディスプレイ外縁内枠部106が略台形をなしているため、車室内側からこのディスプレイ110を見たときには、ディスプレイ110は略台形に見える。尚、本実施例ではディスプレイ外縁内枠部106とディスプレイ表示面111との大きさを等しくしているが、これに限らず、ディスプレイ表示面111をディスプレイ外縁内枠部106より大きく形成して設定してもよい。
【００１５】
ディスプレイ外縁外枠部105は、外枠上辺AD105aと外枠左辺AB105bと外枠下辺BC105cと外枠右辺CD106Dで構成され、外枠下辺BC105c外枠上辺AD105aに対して短く形成した開口部107に対応した方形としての略台形ABCDをなしている。また、ディスプレイ外縁外枠部105の下辺BC105cは、ディスプレイ外縁内枠部106の下辺bc106cに対して略平行にかつ長く形成されている。ディスプレイ外縁外枠部105の上辺AD105aは、ディスプレイ外縁内枠部106の外枠上辺ad106aに対してディスプレイ外縁外枠部105の外枠下辺BC105cの長さ以上にして、両辺を略平行になるようにしている。ディスプレイ外縁内枠部106とディスプレイ外縁内枠部106との関係については、ディスプレイ外縁内枠部106の上辺ad106aとディスプレイ外縁外枠部105の上辺AD105aとの車幅方向の長さの差を、ディスプレイ外縁内枠部106の下辺bc106cとディスプレイ外縁外枠部105の下辺BC105cとの車幅方向の長さの差よりも大きくしている。
【００１６】
さらに、図3-1および図3-2に示す通り、ディスプレイ外縁内枠部106の内枠上辺ad106aと平行となり、その高さgh106fの2等分線となる線分ef106eとしたときの線分ef106eと高さgh106fとの比106e/106fと、ディスプレイ外縁外枠部105の外枠上辺AD105aと平行となり、その高さGH105fの2等分線となる線分EF105eとしたときの線分EF105eと高さGH105fとの比105e/105fとを略同一とする。つまり、ディスプレイ外縁内枠部106が縦長のときにはディスプレイ外縁外枠部105も縦長とし、ディスプレイ外縁内枠部106が横長のときにはディスプレイ外縁外枠部105も横長としている。これにより、ディスプレイ外縁外枠部105とディスプレイ外縁内枠部106とを比べやすい形状としている。
【００１７】
次に、本発明の効果を説明する。
ディスプレイ外縁内枠部106の内枠上辺ad106aとディスプレイ外縁外枠部105の外枠上辺AD105aとの車幅方向の長さの差を、ディスプレイ外縁内枠部106の内枠下辺bc106cとディスプレイ外縁外枠部105の外枠下辺BC105cとの車幅方向の長さの差よりも大きくしているため、この長さの差の大きいディスプレイ外縁内枠部106の上辺ad106aがディスプレイ外縁外枠部105から遠くに、長さの差の小さいディスプレイ外縁内枠部106の下辺bc106cがディスプレイ外縁外枠部105から近くにあると錯覚させることによって、ディスプレイ表示面111の遠近感を強調することができる。
【００１８】
ディスプレイ外縁外枠部105はその上辺105aをその下辺105cより長く形成した略台形となっているため、ディスプレイ外縁外枠部105の上辺105aをディスプレイ外縁内枠部106の上辺106aの差を大きくすることができ、より遠近感を強調することができる。
【００１９】
ディスプレイ外縁部115は計器部125の間に配されているため、メータ部120の間のスペースを有効に利用することができる。
【００２０】
ディスプレイ表示面111をメータ一般面121に対して車両前方に傾斜しているため、メータ一般面121に対してディスプレイ表示面111を遠くすることによって遠近感を出すことができる。
【００２１】
画像を車両後方斜視表示としているため、ディスプレイ外縁部115とともにディスプレイ表示面111の表示を実際での前方視によって感じる遠近感と同様の遠近感をもたせることにより、違和感のない遠近感を表示させることができる。
【００２２】
尚、本発明の実施形態は上記のものに限らず、他の種々の態様を採用できるものである。車両用表示装置100は、同様な効果が得られるように、インストルメントパネル130の中央部や助手席側に設けてもよい。又、本実施例の開口部107には何も設けていないが、この開口部107に透明のクリアパネルやレンズ面を設けてもよい。
【符号の説明】
【００２３】
車両用表示装置  100
ディスプレイ  110
ディスプレイ表示面  111
ディスプレイ外縁部  115
ディスプレイ外縁外枠部105
ディスプレイ外縁内枠部  106
【図１】
2010253966.tif 000003
【図２】
2010253966.tif 000004
【図３】
2010253966.tif 000005
【図４】
2010253966.tif 000006
【図５】
2010253966.tif 000007
【図６】
2010253966.tif 000008